【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
記録ヘッドに連通するインク供給針を備えた記録装置に着脱可能に形成されたインクカートリッジにおいて、
前記インク供給針が挿入される１つのインク供給口が形成された長方形の底壁と、前記長方形の底壁の一方の短辺に隣接する側壁とを有する容器を備え、
前記１つのインク供給口は、前記一方の短辺の近傍に設けられ、
前記側壁に、表面に複数の電極が形成された回路基板を備えることを特徴とするインクカートリッジ。
【請求項２】
前記回路基板は、前記側壁の幅方向の中心に設けられていることを特徴とする請求項１に記載のインクカートリッジ。
【請求項３】
前記側壁には前記回路基板を収容できる程度の凹部が形成され、前記凹部内に前記回路基板が装着されていることを特徴とする請求項１または２に記載のインクカートリッジ。
【請求項４】
前記凹部は、前記カートリッジの挿入方向の、前記インク供給口に近い面に形成されていることを特徴とする請求項１〜３のいずれかに記載のインクカートリッジ。
【手続補正２】
【補正対象書類名】明細書
【補正対象項目名】発明の名称
【補正方法】変更
【補正の内容】
【発明の名称】インクカートリッジ
【手続補正３】
【補正対象書類名】明細書
【補正対象項目名】０００１
【補正方法】変更
【補正の内容】
【０００１】
本発明は、交換可能なインクカートリッジからインクの供給を受けてノズル開口からインク滴を吐出しながら記録媒体に印刷を行う記録装置に適したインクカートリッジに関する。
【手続補正４】
【補正対象書類名】明細書
【補正対象項目名】０００８
【補正方法】変更
【補正の内容】
【０００８】
本発明はこのような問題に鑑みてなされたものであって、その目的とするところは、インクカートリッジの不適切な着脱操作に拘リ無く半導体記憶手段のデータ破損を防止することができるインクジェット式記録装置に適したインクカートリッジを提供することである。
【手続補正５】
【補正対象書類名】明細書
【補正対象項目名】０００９
【補正方法】変更
【補正の内容】
【０００９】
本発明は、記録ヘッドに連通するインク供給針を備えた記録装置に着脱可能に形成されたインクカートリッジにおいて、前記インク供給針が挿入される１つのインク供給口が形成された長方形の底壁と、前記長方形の底壁の一方の短辺に隣接する側壁とを有する容器を備え、前記１つのインク供給口は、前記一方の短辺の近傍に設けられ、前記側壁に、表面に複数の電極が形成された回路基板を備えることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００６１
【補正方法】削除
【補正の内容】
【手続補正３９】
【補正対象書類名】明細書
【補正対象項目名】００６２
【補正方法】削除
【補正の内容】
【手続補正４０】
【補正対象書類名】明細書
【補正対象項目名】００６３
【補正方法】削除
【補正の内容】
【手続補正４１】
【補正対象書類名】明細書
【補正対象項目名】００６４
【補正方法】削除
【補正の内容】
【手続補正４２】
【補正対象書類名】明細書
【補正対象項目名】００６５
【補正方法】削除
【補正の内容】
【手続補正４３】
【補正対象書類名】明細書
【補正対象項目名】００６６
【補正方法】削除
【補正の内容】
【手続補正４４】
【補正対象書類名】明細書
【補正対象項目名】００６７
【補正方法】削除
【補正の内容】
【手続補正４５】
【補正対象書類名】明細書
【補正対象項目名】００６８
【補正方法】削除
【補正の内容】
【手続補正４６】
【補正対象書類名】明細書
【補正対象項目名】００６９
【補正方法】削除
【補正の内容】
【手続補正４７】
【補正対象書類名】明細書
【補正対象項目名】００７０
【補正方法】削除
【補正の内容】
【手続補正４８】
【補正対象書類名】明細書
【補正対象項目名】００７１
【補正方法】削除
【補正の内容】
【手続補正４９】
【補正対象書類名】明細書
【補正対象項目名】００７２
【補正方法】削除
【補正の内容】
【手続補正５０】
【補正対象書類名】明細書
【補正対象項目名】００７３
【補正方法】削除
【補正の内容】
【手続補正５１】
【補正対象書類名】明細書
【補正対象項目名】００７４
【補正方法】削除
【補正の内容】
【手続補正５２】
【補正対象書類名】明細書
【補正対象項目名】００７５
【補正方法】削除
【補正の内容】
【手続補正５３】
【補正対象書類名】明細書
【補正対象項目名】００７６
【補正方法】削除
【補正の内容】
【手続補正５４】
【補正対象書類名】明細書
【補正対象項目名】００７７
【補正方法】削除
【補正の内容】
【手続補正５５】
【補正対象書類名】明細書
【補正対象項目名】００７８
【補正方法】削除
【補正の内容】
【手続補正５６】
【補正対象書類名】明細書
【補正対象項目名】００７９
【補正方法】削除
【補正の内容】
【手続補正５７】
【補正対象書類名】明細書
【補正対象項目名】００８０
【補正方法】削除
【補正の内容】
【手続補正５８】
【補正対象書類名】明細書
【補正対象項目名】００８１
【補正方法】削除
【補正の内容】
【手続補正５９】
【補正対象書類名】明細書
【補正対象項目名】００８２
【補正方法】削除
【補正の内容】
【手続補正６０】
【補正対象書類名】明細書
【補正対象項目名】００８３
【補正方法】削除
【補正の内容】
【手続補正６１】
【補正対象書類名】明細書
【補正対象項目名】００８４
【補正方法】変更
【補正の内容】
【００８４】
本発明のインクカートリッジによれば、回路基板がインク供給針の近傍に位置するから、インク供給針６を中心とした回動運動が生じたとしても、その回動量を極めて小さくできる。
【手続補正６２】
【補正対象書類名】明細書
【補正対象項目名】００９６
【補正方法】変更
【補正の内容】
【００９６】
図６（ａ）は、前述のブラックインク用のインクカートリッジ４０の一実施例を示すもので、図６（ｂ）は、前述のカラーインク用のインクカートリッジ５０の一参考例を示すものであって、ほぼ直方体として形成された容器４１、５１にインクを含浸させた多孔質体４２を収容し、上面を蓋体４３、５３により封止されている。
【手続補正６３】
【補正対象書類名】明細書
【補正対象項目名】０１１６
【補正方法】変更
【補正の内容】
【０１１６】
図１６は、回路基板をインクカートリッジのインク供給口の近傍の、底面に配置する場合の参考例を示すものであって、キャリッジは、その底面に記録ヘッド５に連通するインク供給針６が植設されており、インク供給針６に可及的に隣接した位置には図１７（ａ）、図１７（ｂ）に示したようにバネ材により形成された弾性変形可能な接点８０−１，８０−２，…，８０−６を作り付けた基板８１が設けられている。
【手続補正６４】
【補正対象書類名】明細書
【補正対象項目名】０１２２
【補正方法】変更
【補正の内容】
【０１２２】
この参考例において、インクカートリッジ４０を装着すると、インクカートリッジ４０がキャリッジの底面近傍に到達した段階で、図１９に示したようにインク供給針６がインク供給口４４に進入して流路を形成し、また水平面に対して角度θを持つ回路基板８３の一側寄りの接点８０−１〜８０−３が最初に接点８５−１〜８５−３に接触して導通関係を形成する。
【手続補正６５】
【補正対象書類名】明細書
【補正対象項目名】０１２５
【補正方法】変更
【補正の内容】
【０１２５】
図２０（ａ）は、インクカートリッジ４０に形成される接点８５−１〜８５−６の他の参考例を示すもので、インクカートリッジ４０の装入段階で最初に導通関係を形成する列の接点８５−１〜８５−３から、後に導通関係を形成する列の接点８５−４〜８５−６の間に延びる導電パターン８６，８７が形成されている。
【手続補正６６】
【補正対象書類名】明細書
【補正対象項目名】０１２８
【補正方法】変更
【補正の内容】
【０１２８】
図２１は本発明の他の参考例を示すものであって、インクカートリッジ４０の底面に前述の接点８５−１’〜８５−６’が形成された回路基板８３’を、水平に固定する一方、バネ等により常時上方に付勢され、かつ２列の接点８０−１’〜８０−３’，８０−４’〜８０−６’を、列間で先端ｇに段差が生じるように作り付けた基板８１’を設けて構成されている。
【手続補正６７】
【補正対象書類名】明細書
【補正対象項目名】０１２９
【補正方法】変更
【補正の内容】
【０１２９】
この参考例においても図２２に示したように第１列の接点８５−１’〜８５−３’と接点８０−１’〜８０−３’とが最初に導通関係を形成し、つぎにストローク長が短い第２列の接点８０−４’〜８０−６’が接点８５−４’〜８５−６’に当接して導通関係を形成するから、前述の参考例と同様の作用効果を奏する。
【手続補正６８】
【補正対象書類名】明細書
【補正対象項目名】０１３０
【補正方法】変更
【補正の内容】
【０１３０】
なお、上述の参考例においては、接点８０−１〜８０−６，８５−１〜８５−６を複数列に分け、列間で導通関係形成までの時間差を設けているが、図２３（ａ）、図２３（ｂ）に示したように接点８０−１〜８０−６，８５−１〜８５−６を１列に配置して、一端側の接点８０−１，８５−１と他端側の接点８０−６，８５−６と導通時間が異なるように、図２３（ｃ）、図２３（ｄ）に示したように接点８５−１〜８５−６を形成した回路基板８３を傾けたり、また接点８０−１〜８０−６の先端の位置を異ならせても同様の作用を奏することは明らかである。
【手続補正６９】
【補正対象書類名】明細書
【補正対象項目名】０１３１
【補正方法】変更
【補正の内容】
【０１３１】
また、上述の参考例においては、インクカートリッジをキャリッジに搭載する形式のものに例を採って説明したが、インクカートリッジを本体函体のカートリッジ収容領域に収容して、記録ヘッドとインク供給チューブにより接続する形式の記録装置に適用しても同様の作用を奏することは明らかである。
【手続補正７０】
【補正対象書類名】明細書
【補正対象項目名】０１３３
【補正方法】変更
【補正の内容】
【０１３３】
なお、回路基板８３は、図２４及び図２５に示したように、インクカートリッジ４０の底面に形成され凹部にコイルバネ８９や円弧状板バネ８９’を挿入し、開口側に少なくとも両端に弾性変形可能な爪８８ａ，８８ａを突出するように形成した取付け板８８を介して取付けるか、または取付け板８８に半導体記憶手段８４を実装し、接点８５−１，８５−２，…，８５−６を形成しても同様の作用を奏する。この参考例によれば、治具を用意しておけば、ユーザによる無用な取り外しを防止しつつ、工場側では治具により爪８８ａを退避させて回路基板８３をインクカートリッジ４０から取り外すことができる。
【手続補正７１】
【補正対象書類名】明細書
【補正対象項目名】０１３４
【補正方法】変更
【補正の内容】
【０１３４】
また上述の参考例においては、インクカートリッジに位置決め用の突起を形成して回路基板を位置決めするようにしているが、図２６（ａ）に示したようにインクカートリッジ９０の壁面、この参考例ではインク供給口９１が形成されている底面９２に隣接する壁面９３に凹部９３ａを形成し、この凹部９３ａに回路基板８３を収容、固定するようにしても同様の作用を奏する。
【手続補正７２】
【補正対象書類名】明細書
【補正対象項目名】０１３６
【補正方法】変更
【補正の内容】
【０１３６】
【図１】本発明の記録装置の一実施例を、記録機構を中心として示す図。
【図２】同上装置におけるキャリッジの一実施例を示す組立て斜視図。
【図３】同上装置におけるキャリッジの一実施例を、インクカートリッジを装着した状態で示す図。
【図４】同上装置におけるキャリッジの一実施例を、インクカートリッジを装着した状態で示す上面図。
【図５】（ａ）、（ｂ）は、それぞれ同上キャリッジの接点機構の一実施例を示す図。
【図６】図（ａ）は、同上記録装置に適したインクカートリッジの一実施例を示す図であり、図（ｂ）は、インクカートリッジの一参考例を示す図である。
【図７】（ａ）乃至（ｃ）は、それぞれインクカートリッジに取付けられる回路基板の一実施例を、その表裏の構造、及び電極のサイズについて示す図であり、また（ｄ）、（ｅ）は、それぞれ接点との接触状態を示す図。
【図８】同上インクカートリッジの装填工程を示す図。
【図９】同上インクカートリッジの装填工程を示す図。
【図１０】インク供給針が挿入されたインクカートリッジのインク供給口を中心とする移動量を示す図。
【図１１】（ａ）乃至（ｃ）は、それぞれインクカートリッジの回路基板とホルダの接点との接触過程を示す図。
【図１２】（ａ）、（ｂ）は、本発明の他の実施例を、インクカートリッジを装着した状態で示す断面図と上面図。
【図１３】（ａ）、（ｂ）は、本発明の他の実施例を、インクカートリッジを装着した状態で示す断面図と上面図。
【図１４】（ａ）、（ｂ）は、本発明の他の実施例を、インクカートリッジを装着した状態で示す断面図と上面図。
【図１５】本発明の他の実施例を、インクカートリッジを装着した状態で示す断面図。
【図１６】同上記録装置のヘッドホルダとインクカートリッジの参考例を示す断面図。
【図１７】（ａ）、（ｂ）は、それぞれ同上ヘッドホルダに設けられている接点の一実施例を示す平面図と側面図。
【図１８】（ａ）乃至（ｃ）は、それぞれ同上インクカートリッジに取付けられている接点基板の正面図、側面図、及び裏面図。
【図１９】インクカートリッジの装入工程において最初に導通関係を形成した状態を示す断面図。
【図２０】（ａ）、（ｃ）は、それぞれ同上インクカートリッジに取付けられている接点の他の参考例を示す平面図と、インクが付着した状態を示す図。
【図２１】本発明の記録装置のヘッドホルダとインクカートリッジの他の参考例を示す断面図。
【図２２】同上記録装置におけるインクカートリッジの装入工程において最初に導通関係を形成した状態を示す断面図。
【図２３】（ａ）乃至（ｄ）は、それぞれ本発明の他の参考例を接点の配列形態で示す平面図、及び側面図。
【図２４】（ａ）、（ｂ）は、それぞれインクカートリッジへの回路基板の取付け形態の他の参考例を示す断面図と、取付け板の構造を示す上面図。
【図２５】インクカートリッジへの回路基板の取付け形態の他の参考例を示す断面図。
【図２６】（ａ）、（ｂ）は、それぞれ回路基板の取付け形態の他の参考例を示す図。